(57)【要約】【課題】蚊帳全体をベッドの枠体で保持できて蚊帳の外から無理なくベッドに寝かせた乳幼児の介護が行え、外観上も体裁よく保持できる、簡単な構成のベッド用蚊帳を提供する。【解決手段】使用するベッドの最大長さ寸法より長い長径とベッドの幅に対応する短径の長円形天井部２と、その天井部２の周囲に縫込まれた高弾性線条（ピアノ線）にてなる保持リング４と、その保持リング４を内包した環状縁部３から全周にわたり垂下するたれ布５と、そのたれ布５の一部を開閉可能にして閉じ合わせるファスナー８およびベッド１０上側から覆ってベッドの枠に装着する複数の取付部片７とで構成されている。【選択図】図４
2006110171.tif 000002
【特許請求の範囲】
【請求項１】
使用するベッドの最大長さ寸法より長い長径とベッドの幅に対応する短径の長円形天井部と、その天井部の周囲に縫込まれた高弾性線条にてなる保持リングと、その保持リングを内包した環状縁部から全周にわたり垂下するたれ布と、そのたれ布の一部を開閉可能にして閉じ合わせるファスナーおよびベッド上側から覆ってベッドの枠に装着する取付部片とで構成されていることを特徴とするベッド用蚊帳。
【請求項２】
前記取付部片は、前記天井部の環状縁部の内側で複数箇所に装着され、閉じ合わせて前記ベッドの枠に固定できる構成である請求項１に記載のベッド用蚊帳。
【発明の詳細な説明】
【技術分野】
【０００１】
本発明は、主としてベビーベッドなどの枠体に装着して張架するのを容易にしたベッド用蚊帳に関するものである。
【背景技術】
【０００２】
従来、乳幼児を就寝させる時に使用される蚊帳については、一般にろくろによって複数の骨部材を周囲に張って蚊帳を拡張させ、自立するように構成された"ほろ蚊帳"が知られている。この"ほろ蚊帳"を使用すると、簡単に部屋の一部に蚊帳を張って蚊などの害虫から身を守って安全に就寝することができる。ところが、最近の生活環境の変化によって乳幼児を就寝させたりするのに、畳の上に寝具を敷いて就寝させることよりベビーベッドを使用することが多くなり、従来の"ほろ蚊帳"を使用することが非常に少なくなっている。
【０００３】
一方、ベッドを使用して就寝する生活環境において蚊帳を使用する必要があるのに対して、部屋内全体に吊るして使用する従来の蚊帳に代えて、ベッド１台につき１つの蚊帳を使用できるようにしたベッド用蚊帳についての提案が特許文献１または特許文献２などによって開示されている。
【０００４】
【特許文献１】特開平７−７９８４３号公報
【特許文献２】特開２００４−２３０１００号公報
【発明の開示】
【発明が解決しようとする課題】
【０００５】
前記特許文献１によって知られるベッド用蚊帳は、ベッドの上方（天井）からベッド全体を覆うようにした蚊帳を吊下げて使用するものが提案されている。また、前記特許文献２によって知られるものは、ベッドの側方にスタンドを配置して、このスタンドによってベッド全体を覆うようにした蚊帳を吊下げて使用できるようにしたものが記載されている。これらはいずれもベッドとは別個に支持位置を配して、蚊帳を吊下げて使用するものであるから、前者（特許文献１）によるものは天井に蚊帳を吊下げるフックなど吊下げ支持金具を取付けねばならず、そのためには天井に頑丈な支持部材が存在しないと使用できない。当然、化粧天井の施されている部屋では使用できないほかに、昼間時など不使用時に蚊帳を吊下げておくのは体裁がよくないなどの問題点がある。
【０００６】
また、特許文献２によって知られるベッド用蚊帳では、スタンドを使用して吊下げるので、特許文献１に較べて使用時の自由度がある。しかしながら、スタンドを用意しなければならないのでその分高価になるという問題がある。また、スタンドによって蚊帳全体を吊下げ支持する構成となるので、蚊帳の寸法が大きくなると支持状態が不安定になり易く、特に蚊帳内に出入りする際、支持状態が不安定になるという問題点がある。さらに、ベッド脇にスタンドが設置されているので、就寝に際して不都合はないが違和感を抱くという問題もある。
【０００７】
また、乳幼児のベッド用蚊帳として適用する場合、吊下げ式の蚊帳では、一般成人のベッドとは異なり、ベッドの外形寸法が小さくて高さ寸法が高いことと保護者がベッド上に寝かせた乳幼児を介護する際に、介護者（保護者）がベッド脇に立って乳幼児の世話をすることになるので、その介護者が蚊帳内に入って不都合のないスペースを確保しなければならず、吊下げ式ではベッドを覆う寸法との関係で、蚊帳の内容積を大きくすると不釣合な形状となり、機能を重視すると不体裁なものになって好ましくないという問題点がある。
【０００８】
本発明は、前述のような問題点を解決するためになされたもので、蚊帳全体をベッドの枠体で保持できて蚊帳の外から無理なくベッドに寝かせた乳幼児の介護が行え、外観上も体裁よく保持できる、簡単な構成のベッド用蚊帳を提供することを目的とするものである。
【課題を解決するための手段】
【０００９】
前記目的を達成するために、本発明によるベッド用蚊帳は、
使用するベッドの最大長さ寸法より長い長径とベッドの幅に対応する短径の長円形天井部と、その天井部の周囲に縫込まれた高弾性線条にてなる保持リングと、その保持リングを内包した環状縁部から全周にわたり垂下するたれ布と、そのたれ布の一部を開閉可能にして閉じ合わせるファスナーおよびベッド上側から覆ってベッドの枠に装着する取付部片とで構成されていることを特徴とするものである（第１発明）。
【００１０】
前記発明において、前記取付部片は、前記天井部の環状縁部の内側で複数箇所に装着され、閉じ合わせて前記ベッドの枠に固定できる構成であるのがよい（第２発明）。
【発明の効果】
【００１１】
本発明によれば、蚊帳の天井部が使用するベッドの長さ寸法より大きくてベッド幅に対応する寸法の長円形にされてその周縁部（環状縁）に高弾性線条製の保持リングが内包されて、その環状縁部の全周に蚊帳のたれ布が付された構造にされているので、蚊帳を広げると、前記保持リングが骨格となって天井を備えた円筒形になる。そこで、天井部をベッドの上側に配して取付部片によってベッドの前後側板枠に取付けると、保持リングがベッドの前後両側板枠に引き寄せられて蚊帳の天井部が弓なりに彎曲して盛り上がり、天井部の布が緊張し、その状態でたれ布がベッドの周りを囲って保形される。そのたれ布の一部にはファスナーによって開閉できる個所が設けられているので、そのファスナーを開閉して蚊帳の内部に出入でき、骨格である保持リングが取付部片によってベッドの枠に引き寄せられて固定されるので、たれ布を開閉して蚊帳内に出入しても不安定になることはない。
【００１２】
本発明によれば、このように構成されるので、別途支持体を準備しなくともベッドに直接支持させて蚊帳を張ることができるので、特にベビーベッド用の蚊帳として体裁よく、簡単に設置でき、骨格となっている高弾性線条（例えばピアノ線）にてなる保持リングがアーチ状に上向き彎曲して外観的にも美観を奏する。もちろん、使用しない場合には、取付部片による固定を解くと、取り外すことができ、後は保持リングをねじって小さなリング状にすることで嵩低く収納できるという利便性を有する。
【００１３】
また、第２発明の構成を採用することにより、高弾性線条で形成される保持リングを内包した環状縁の内側において取付部片でベッドの前後側板枠に前記保持リングを引き寄せるようにして固定すれば、高弾性線条、例えばピアノ線による剛弾性力と蚊帳構成布の変形自由性とを利用して、その保持リングが拘束されて天井部をベッド上に合わせた長円形状で、上向きに反らせた円弧状の天井に形成し、蚊帳全体に張りを与え、出入する位置が高い部分になるようにすることで使用時の利便性を高めることができるという効果を奏する。
【発明を実施するための最良の形態】
【００１４】
次に、本発明によるベッド用蚊帳の具体的な実施の形態について、図面を参照しつつ説明する。
【００１５】
図１には本実施形態のベッド用蚊帳の全体斜視図が示されている。図２には要部の拡大断面図が、図３には取付部片を示す図が、図４には本実施形態のベッド用蚊帳の使用状態における全体斜視図が、それぞれ示されている。
【００１６】
本実施形態のベッド用蚊帳１は、ベビーベッド１０に装着して使用されるものについて説明する。このベッド用蚊帳１は、天井部２がメッシュ状に編成された布を所要幅の布地で周囲を縫合して長円形にされ、その周囲を取巻く前記布地にてなる環状縁部３に高弾性線条（例えばピアノ線、熱可塑性樹脂をカーボン繊維やガラス繊維で強化して線条に形成されている繊維強化型樹脂）で形成された無端状の保持リング４が内包されで形成されている。そして、前記天井部２の周囲には、所要高さ寸法（使用状態でベビーベッド１０の全高よりも長い寸法）で蚊帳布地によるたれ布５が上端部を前記環状縁部３にバイアステープ６を介在させて前記天井部２の布とともに縫合されている。また、前記天井部２の内側環状縁部３に基端を取付けられて取付部片７が設けられている。なお、この蚊帳１の天井部２は、その長径が使用されるベビーベッド１０の最大長さよりも長い寸法にされ、短径の寸法がベビーベッド１０の幅寸法よりもやや広い寸法にされている。また、前記天井部２は、環状縁部３に内包される保持リング４を中央部が両端部よりも高くなるように所要寸法で全体的に彎曲形成されている。したがって、たれ布５はその保持リング４の彎曲に伴う寸法差に応じて対応する部分を両端部より長くされている。また、たれ布５の裾にはレース地による飾り布５ａが全周にわたり縫着されている。
【００１７】
前記たれ布５の一部には、ちょうど前記取付部片７によって後述するようにこの蚊帳１をベビーベッド１０に装着する際、ベッドの長手方向の一方の側面部に位置するようにして環状縁部３から下端まで、スライドファスナー８が取付けられ、このスライドファスナー８の部分でたれ布５を開いて蚊帳１の内部に出入できるようにされている。
【００１８】
前記取付部片７は、前記環状縁部３の内側で基端を縫着された適宜幅の布テープで、その垂下される一方の布テープ７ａの表面には面ファスナーのループ片が形成されたものが用いられ、他方の布テープ７ｂの裏面（内側の面）には面ファスナーの鈎片が多数形成されたものが用いられてセットになっており、このような取付部片７をベッドの前後側板枠１１上部に巻掛けて取付けられるように、二条ずつ対向する位置にそれぞれ設けられている。なお、前記両布テープ７ａ，７ｂに関しては、通常の布テープにそれぞれループ付きの面ファスナーと鉤片付きの面ファスナーとを必要な範囲に縫着するようにしてもよい。
【００１９】
このように構成される本実施形態のベッド用蚊帳１は、広げた状態で使用するベビーベッド１０を上側から覆い被せるようにし、その内側で環状縁部３に付されている各取付部片７をそれぞれベビーベッド１０の前後側板枠１１，１１の上側にそれぞれ二組ずつ巻き付けて、一方のループ片を備える布テープ７ａに対して他方の鈎片を備える布テープ７ｂを重ね合わせて接合し、これら取付部片７で側板枠１１に取付ける。こうすると、図４で示されるように、長円形をした天井部２が保持リング４を内包する環状縁部３が取付部片７によってベビーベッド１０の前後両側板枠１１，１１上縁に固定されるので、ベッドの全長寸法よりも長くされて天井部２の環状縁部３に内包の高弾性線条で形成された保持リング４が、予め上向きに彎曲されているのをさらに引き寄せられて、その引き絞りによる反力で天井部２全体を緊張させ、ベッドの上側に側面視アーチ状に形成されて保持される。この際、天井部２はメッシュ地の編成布であるから、皺寄ることなく緊張状態を保って保持リング４に対応する。また、たれ布５は環状縁部３に沿って上端部を縫着されているので、無理なくベッド１０を取巻いて周囲に垂下され蚊帳が張架される。
【００２０】
こうしてベビーベッド１０の周りに吊掛けた蚊帳１は、前述のように保持リング４を骨格としてベッドに直接取付け支持されるので、周囲に支持スタンドや天井からの吊下げなどのように余分な支持部を要することなく使用可能な状態とすることができるのである。そして、蚊帳を張架されたベッド内に乳幼児を寝かせ、その世話をするには、たれ布５の一部に環状縁部３から下端まで縫着されているスライドファスナー８を開閉させて蚊帳１の出入り口とすることで、無理なく出入することができる。もちろんファスナーを閉じると外部と遮断することができるので、蚊などの害虫が内部に侵入するのを阻止できて防虫効果並びに外部からのほこりの侵入を防ぐのに役立つ効果が得られる。また、たれ布５は、保持リング４が長円形彎曲状態になってベッドの外形に近づいて垂下するので、ベッドの側枠に対して全体的に添う状態を呈し、ちょうどベッドに沿って周囲を取巻き、違和感を与えない。また、天井部２が中ほどで上向きにアーチを画いた状態を呈しているのでベッドに寝かせている乳幼児を世話するときも、腰をかがめる程度で天井部２が邪魔にならないという利点もある。
【００２１】
この蚊帳１の使用が終わって保管するときには、ベビーベッド１０の前後側板枠１１，１１に取付けていた取付部片７の面ファスナーによる接合を解いて、固着を外すと保持リング４に加えられていた絞縮力が解放されるので天井部２が復元されるので、ベッド上から蚊帳全体を取り除く。次いで、図５に示されるように、保持リング４が高弾性線条で形成されているので、その弾性を利用して長円形の保持リング４を引き絞って捻ることにより、まず図中（ａ）で示すように、この保持リング４を片寄せて一方に小さな円を作るようにして８の字状に曲げ、次いで、図中（ｂ）で示すようにその小さな円に対する大きな円の部分をさらにもうひとしぼりすることで、それら各円環を重ね合わせると図中（ｃ）で示されるように、三重の環に巻くことができる。こうして保持リング４は嵩低くすることができるので、付随する天井部２並びにたれ布５の全体を絞り込んだ状態で嵩低く畳み、予め用意されている収納袋２０に収めることで、縮小された保持リング４を保形してコンパクトにまとめて保管することができる。なお、保管されていた本実施形態の蚊帳を再度使用するときには、収納袋から取り出して保持リングに加えていた拘束力を除くと、その保持リングは自動的に復元するので、前記要領で使用できる。
【００２２】
以上の説明においては、蚊帳でベビーベッドを包み込んで張架するに際し、ベッドの前後側板枠に対して保持リング（環状縁部）を固定して装着するのに、その保持リングを内包させた環状縁の内側に取付けて使用する構成であるが、このほかに保持リングを内包させた環状縁を外側からベッドの側板枠体に押付けて固定するような金具を用いることも可能である。このような方式についても、本発明の技術的範囲に属することは言うまでもない。
【図面の簡単な説明】
【００２３】
【図１】本実施形態のベッド用蚊帳の全体斜視図
【図２】要部の拡大断面図
【図３】取付部片を示す図
【図４】本実施形態のベッド用蚊帳の使用状態における全体斜視図
【図５】本実施形態のベッド用蚊帳の収納時の態様を示すイメージ図
【符号の説明】
【００２４】
１    ベッド用蚊帳
２    天井部
３    環状縁部
４    保持リング
５    たれ布
７    取付部片
８    スライドファスナー
１０    ベビーベッド
１１    前後側板枠
【図１】
2006110171.tif 000003
【図２】
2006110171.tif 000004
【図３】
2006110171.tif 000005
【図４】
2006110171.tif 000006
【図５】
2006110171.tif 000007